(57)【特許請求の範囲】
【請求項１】
浴室ユニットに用いられる樹脂製の天井パネルであって、
周縁に設けられ、壁パネルの上部位置を規定するための壁位置決め部と、
前記壁位置決め部が切り落とされた場合に、前記壁パネルの上部位置を規定するピース部材を正確な位置に取り付けるための位置決め手段と、を備え、
前記位置決め手段は、前記天井パネルの上面または下面に成形時に形成されたものであることを特徴とする天井パネル。
【請求項２】
浴室ユニットに用いられ、周縁の少なくとも一側面に切断面が形成された樹脂製の天井パネルと、
前記天井パネルの前記切断面側に取り付けられ、壁パネルの上部位置を規定するためのピース部材と、を備え、
前記天井パネルの上面または下面には、前記ピース部材を正確な位置に取り付けるために、前記天井パネルの成形時に形成された位置決め手段が設けられていることを特徴とする天井パネル。
【請求項３】
前記切断面に対して、前記ピース部材は離間した位置に配置されていることを特徴とする請求項２記載の天井パネル。
【請求項４】
前記位置決め手段は、前記天井パネルの上面に設けられていることを特徴とする請求項２記載の天井パネル。
【請求項５】
前記位置決め手段は、前記天井パネルの下面に設けられており、
且つ前記天井パネルと前記壁パネルとの隙間を塞ぐ目地部材によって浴室ユニット内側から隠蔽された位置に設けられていることを特徴とする請求項２記載の天井パネル。
【発明の詳細な説明】
【技術分野】
【０００１】
本発明は、浴室ユニットに用いられる天井パネルに関する。
【背景技術】
【０００２】
特許文献１に記載された浴室等における壁パネルと天井パネルとの連結構造では、天井パネルの下面４辺に下向きコ字状の結合部材を固定し、この結合部材を壁パネルの上端部に嵌合させている。こうすることにより、壁パネルの上部を正確な位置に規定することを可能としている。
【０００３】
一方、浴室ユニットに用いられる天井パネルは、一般的に、鋼板と石膏ボードからなる鋼板天井と、樹脂材料から形成された成形天井とが採用されている。特に、成形天井は、形状的な自由度が高い点で優れており、アーチ状の天井などで広く採用されている。
【先行技術文献】
【特許文献】
【０００４】
【特許文献１】特開２０００−３３６９５９号公報
【発明の概要】
【発明が解決しようとする課題】
【０００５】
しかしながら、上述した成形天井の場合、浴室ユニットの平面サイズ毎に成形型を用意する必要があるため、コストがかかるという問題がある。
【０００６】
そこで、成形天井の周縁を切断することで、１型で多種の平面サイズに対応可能とし、成形型の投資を抑える方法が考えられるが、この場合、壁パネルの上部を正確な位置に規定することができなくなるおそれがある。
【０００７】
以下に、その具体的な理由を説明する。まず、天井パネルの周縁を切断すると、その切断された部分には、壁パネルの上部位置を規定するためのピース部材を後付けする必要が生じる。このピース部材は、天井パネルに対して所定の位置に取り付けられる必要があるが、切断面を基準にしてピース部材を取り付けると、切断面は後加工して形成されたものであるため、大きな誤差が発生してしまうことがある。ピース部材がずれた位置に取り付けられた場合、ピース部材によって上部の位置が規定される壁パネルも正確な位置に取り付けられなくなる。浴室ユニットの壁パネルが正確な位置に取り付けることができないと、結果として浴室ユニット自体が歪んだ状態で組み立てられたり、隙間が発生して気密性や水密性が低下することに繋がるため、好ましくない。
【０００８】
本発明は、上述した課題に鑑みてなされたものであり、１型で多種サイズの浴室ユニットに対応することができ、且つ壁パネルの上部を正確な位置に配置することができる天井パネルを提供することを目的とする。
【課題を解決するための手段】
【０００９】
上記課題を解決するために本発明に係る天井パネルは、浴室ユニットに用いられる樹脂製の天井パネルであって、周縁に設けられ、壁パネルの上部位置を規定するための壁位置決め部と、前記壁位置決め部が切り落とされた場合に、前記壁パネルの上部位置を規定するピース部材を正確な位置に取り付けるための位置決め手段と、を備え、前記位置決め手段は、前記天井パネルの上面または下面に成形時に形成されたものであることを特徴とする。
【００１０】
本発明によれば、成形型を用いて形成された樹脂製の天井パネルの周縁を切断することで、１型で多種サイズの天井パネルを用意することが可能となる。尚、切断される辺は少なくとも１辺でもあれば対応でき、最大４辺全てを切断するようにしても良い。また、天井パネルとは別体で形成されて後付けされるピース部材は、天井パネルの上面または下面に成形時に形成された位置決め手段を基準にして位置が規定されるため、天井パネルに対して正確な位置に取り付けることができる。ピース部材が正確な位置に取り付けられることで、結果として、壁パネル上部も正確な位置に取り付けられ、隙間が発生することなく、気密性や水密性に優れた浴室ユニットを提供することが可能となる。尚、成形時に形成される位置決め手段は、後加工で形成された切断面に対して寸法精度が高いため、略狙い通りの位置にピース部材を配置することが可能となる。
【００１１】
また、上記課題を解決するために本発明に係る天井パネルは、浴室ユニットに用いられ、周縁の少なくとも一側面に切断面が形成された樹脂製の天井パネルと、前記天井パネルの前記切断面側に取り付けられ、壁パネルの上部位置を規定するためのピース部材と、を備え、前記天井パネルの上面または下面には、前記ピース部材を正確な位置に取り付けるために、前記天井パネルの成形時に形成された位置決め手段が設けられていることを特徴とする。
【００１２】
本発明によれば、成形型を用いて形成された樹脂製の天井パネルの周縁を切断することで、１型で多種サイズの天井パネルを用意することが可能となる。尚、切断される辺は少なくとも１辺でもあれば対応でき、最大４辺全てを切断するようにしても良い。また、天井パネルとは別体で形成されて後付けされるピース部材は、天井パネルの上面または下面に成形時に形成された位置決め手段を基準にして位置が規定されるため、天井パネルに対して正確な位置に取り付けることができる。ピース部材が正確な位置に取り付けられることで、結果として、壁パネル上部も正確な位置に取り付けられ、隙間が発生することなく、気密性や水密性に優れた浴室ユニットを提供することが可能となる。尚、成形時に形成される位置決め手段は、後加工で形成された切断面に対して寸法精度が高いため、略狙い通りの位置にピース部材を配置することが可能となる。
【００１３】
更に本発明では、前記切断面に対して、前記ピース部材は離間した位置に配置されていることが好ましい。
【００１４】
この好ましい態様によれば、ピース部材を天井パネルに取り付ける際に、切断面と当接する前に、位置決め手段と当接するように位置決め手段が配置されているため、切断面の加工誤差や表面状態などに影響を受けることなく、ピース部材を天井パネルに対して正確な位置に取り付けることができる。
【００１５】
更に本発明では、前記位置決め手段は、前記天井パネルの上面に設けられていることが好ましい。
【００１６】
この好ましい態様によれば、浴室内側から位置決め手段が露出しないため、天井面の美観を向上させることができる。
【００１７】
更に本発明では、前記位置決め手段は、前記天井パネルの下面に設けられており、前記位置決め手段は、前記天井パネルと前記壁パネルとの隙間を塞ぐ目地部材によって浴室ユニット内側から隠蔽された位置に設けられていることが好ましい。
【００１８】
この好ましい態様によれば、天井パネルの下面に位置決め手段が設けられているため、天井裏空間にスペースが無い場合でも対応できる。また、目地部材によって、位置決め手段が浴室内側から隠れるようになっているため、天井面の美観を向上させることができる。
【発明の効果】
【００１９】
本発明によれば、１型で多種サイズの浴室ユニットに対応することができ、且つ壁パネルの上部を正確な位置に配置することができる天井パネルを提供することができる。
【図面の簡単な説明】
【００２０】
【図１】浴室ユニットの分解斜視図である。
【図２】天井パネルの周縁が切断されていない場合における天井パネルと壁パネルとの連結部の詳細を表す断面図である。
【図３】本発明の第１の実施形態であって、天井パネルの周縁が切断された場合における天井パネルと壁パネルとの連結部の詳細を表す断面図である。
【図４】本発明の第２の実施形態であって、天井パネルの周縁が切断された場合における天井パネルと壁パネルとの連結部の詳細を表す断面図である。
【発明を実施するための形態】
【００２１】
以下、添付図面を参照しながら本発明の実施形態について説明する。説明の理解を容易にするため、各図面において同一の構成要素に対しては可能な限り同一の符号を付して、重複する説明は省略する。
【００２２】
図１に示すように、本実施形態に係る浴室ユニットは、浴槽１０と、浴槽１０と隣接して配置される洗い場床パン１１と、浴槽１０および洗い場床パン１１における周縁部の上に立設される壁パネル２０および出入口ドア２５と、壁パネル２０の上端部に取り付けられる天井パネル３０と、から構成されている。これら浴槽１０、洗い場床パン１１、壁パネル２０、出入りドア２５、天井パネル３０を水密的且つ気密的に組み立てることにより、建築躯体側に浴室内の水や湿気が漏れださないようになっている。
【００２３】
壁パネル２０は、浴室内側に配置される鋼板２１と、鋼板２１の裏面側に裏打ちされた石膏ボード２２とから構成されている。一方、天井パネル３０は樹脂材料から形成された、いわゆる成形天井である。このように天井パネル３０が成形品であると、形状的な自由度を高くすることができ、天井パネル３０を例えばアーチ状にすることも可能である。
【００２４】
図２は、天井パネル３０の周縁が切断されていない状態における天井パネル３０と壁パネル２０との連結部の詳細を表す断面図である。図２に示すように、天井パネル３０の端縁には、下方側に垂下形成された第１の垂下部３１と、第１の垂下部３１の内方側に設けられ、下方側に垂下形成された第２の垂下部３２とが天井パネル３０の成形時に一体形成されている。これら第１の垂下部３１と第２の垂下部３２とによって下方に開口した凹状の壁位置決め部３４が形成されており、壁位置決め部３４に壁パネル２０の上端を嵌入させることで、壁パネル２０の上部位置が規定されるようになっている。尚、図示しないが、第２の垂下部３２と壁パネル２０の上部とはネジによって固定され、ネジの頭部は、天井パネル３０および壁パネル２０の表面に対して水密的且つ気密的に当接する目地部材４０によって覆い隠されるようになっている。
【００２５】
また、天井パネル３０における第１の垂下部３１と第２の垂下部３２の上面側には、上方に立ち上がり形成された第１の補強リブ３６と第２の補強リブ３７とが形成されている。さらに第１の補強リブ３６および第２の補強リブ３７よりも内方側には、後で詳述する第３の補強リブ３８が立ち上がり形成されており、本実施形態では、第３の補強リブ３８が位置決め手段として機能する。
【００２６】
図３は、天井パネル３０の周縁が切断された状態における天井パネル３０と壁パネル２０との連結部の詳細を表す断面図であり、図２の一点鎖線Ｄで天井パネル３０の周縁が切断されたものである。このように、壁パネル２０の周縁を後加工で切断することにより、成形された天井パネル３０よりも小さいサイズの天井パネル３０を用意することが可能となり、１型で多種サイズの天井パネル３０を用意することができ、設備投資の削減となる。
【００２７】
図２に示す一点鎖線Ｄの位置で天井パネル３０が切断されると、上述した第１の垂下部３１および第２の垂下部３２も切り落とされることとなる。つまり、壁パネル２０の上部位置を規定するための壁位置決め部３４が切り落されることになるため、別体のピース部材５０を天井パネル３０に取り付ける必要がある。
【００２８】
第１の実施形態におけるピース部材５０は、天井パネル３０周縁の上面側と下面側に跨るように取り付けられる。ピース部材５０の上部側には、第３の補強リブ３８の外側面と当接する位置決め部５１と、第３の補強リブ３８の上端に対して係止可能な係止部５２とが形成されている。また、ピース部材５０の下部側には、壁パネル２０の上端部が嵌入可能な下方に開口した凹状部５３と、後述する目地部材４０が取り付けられる目地取り付け部５４とが形成されている。尚、天井パネル３０の切断面はピース部材５０と離間した状態で取り付けられるようになっており、水平方向にクリアランスｇが形成されるようになっている。
【００２９】
以下に、周縁が切断された天井パネル３０に対してピース部材５０を取り付ける手順について説明する。
【００３０】
まず、ピース部材５０の位置決め部５１が第３の補強リブ３８の外側面と当接するように、且つ係止部５２が第３の補強リブ３８の内側面上端部に引っ掛かるように、ピース部材５０を配置する。この状態で、天井パネル３０に対してピース部材５０が規定の位置に位置決めされることとなる。このように、係止部５２と位置決め部５１とによって、第３の補強リブ３８を両側面から挟み込むようにしているため、より確実にピース部材５０を天井パネル３０に対して位置決め可能となっている。尚、天井パネル３０の切断面に対して、ピース部材５０は水平方向にクリアランスｇが形成されるように配置されている。
【００３１】
次いで、天井パネル３０の下面側からピース部材５０と天井パネル３０とをネジ固定する。この状態で、天井パネル３０に対してピース部材５０が固定される。尚、ピース部材５０の位置決め部５１が第３の補強リブ３８の外側面と当接した状態であり、且つ係止部５２が第３の補強リブ３８の内側面上端部に引っ掛かった状態を維持しながらネジ固定することが必要である。尚、係止部５２と位置決め部５１とによって、第３の補強リブ３８を両側面から挟み込むようにしているため、ピース部材５０が第３の補強リブ３８に対してずれることなく、固定することが可能となっている。
【００３２】
以下に、天井パネル３０と壁パネル２０とを連結する手順について説明する。
【００３３】
まず、壁パネル２０の上端をピース部材５０の凹状部５３内に嵌入させる。この状態で、壁パネル２０の上部位置が規定されることになる。次いで、壁パネル２０の浴室内面側からピース部材５０と壁パネル２０とをネジ固定する。この状態で、壁パネル２０に対してピース部材５０が固定され、ピース部材５０を介して天井パネル３０と壁パネル２０とが連結されることとなる。更に、ピース部材５０を浴室内側から隠れるようにピース部材５０の目地取付部５４に対しては目地部材４０が取り付けられる。当該目地部材４０は、天井パネル３０の下面、および壁パネル２０の浴室内側面と水密的且つ気密的に当接している。
【００３４】
以上のように構成された浴室の天井構造によれば、成形型を用いて形成された樹脂製の天井パネル３０の周縁を切断することで、１型で多種サイズの天井パネル３０を用意することが可能となる。また、天井パネル３０とは別体で形成されて後付けされるピース部材５０は、天井パネル３０の上面に成形時に形成された第３の補強リブ３８を基準にして位置が規定されるため、天井パネル３０に対して正確な位置に取り付けることができる。ピース部材５０が正確な位置に取り付けられることで、結果として、壁パネル２０上部も正確な位置に取り付けられ、隙間が発生することなく、気密性や水密性に優れた浴室ユニットを提供することが可能となる。尚、成形時に形成される第３の補強リブ３８は、後加工で形成された切断面に対して寸法精度が高いため、略狙い通りの位置にピース部材５０を配置することが可能となる。
【００３５】
また、ピース部材５０を天井パネル３０に取り付ける際に、切断面と当接する前に、第３の補強リブ３８と当接するように配置されているため、切断面の加工誤差や表面状態などに影響を受けることなく、ピース部材５０を天井パネル３０に対して正確な位置に取り付けることができる。
【００３６】
また、天井パネル３０の上面に位置決め手段である第３の補強リブ３８が設けられているため、浴室内側から位置決め手段が露出しないため、天井面の美観を向上させることができる。
【００３７】
次に、図４を用いて、天井パネル３０に対するピース部材６０の位置決め方法に関する第２の実施形態を説明する。図４は、天井パネル３０の周縁が切断された場合における天井パネル３０と壁パネル２０との連結部の詳細を表す断面図である。
【００３８】
本実施形態に係る天井パネル３０の下面には、天井パネル３０の成形時に一体形成された第３の垂下部３３が下方に突出した状態で設けられている。この第３の垂下部３３は、天井パネル３０の周縁が切り落とされる前の状態において、第１の垂下部３１および第２の垂下部３２よりも内方側に形成されており、本実施形態では、第３の垂下部３３が位置決め手段として機能する。
【００３９】
また、本実施形態におけるピース部材６０は、全体が天井パネル３０の下方に配置されており、第３の垂下部３３の外側面と当接する位置決め部６１と、壁パネル２０の上端部が嵌入可能な下方に開口した凹状部６３と、目地部材４０が取り付けられる目地取り付け部６４とが形成されている。
【００４０】
以下に、周縁が切断された天井パネル３０に対してピース部材６０を取り付ける手順について説明する。
【００４１】
まず、ピース部材の位置決め部６１が第３の垂下部３３の外側面と当接するようにピース部材を配置する。この状態で、天井パネル３０に対してピース部材が規定の位置に位置決めされることとなる。
【００４２】
次いで、天井パネル３０の下面側からピース部材６０と天井パネル３０とをネジ固定する。この状態で、天井パネル３０に対してピース部材６０が固定される。尚、ピース部材６０の位置決め部６１が第３の垂下部３３の外側面と当接した状態を維持しながらネジ固定することが必要である。
【００４３】
尚、図４に示すように、第３の垂下部３３は、天井パネル３０と壁パネル２０との隙間を塞ぐ目地部材４０によって浴室ユニット内側から隠蔽されるようになっている。
【００４４】
以上のように構成された浴室の天井構造においても、天井パネル３０とは別体で形成されて後付けされるピース部材６０が、天井パネル３０の下面に成形時に形成された第３の垂下部３３を基準にして位置が規定されるため、天井パネル３０に対して正確な位置に取り付けることができる。ピース部材６０が正確な位置に取り付けられることで、結果として、壁パネル２０上部も正確な位置に取り付けられ、隙間が発生することなく、気密性や水密性に優れた浴室ユニットを提供することが可能となる。尚、成形時に形成される第３の垂下部３３は、後加工で形成された切断面に対して寸法精度が高いため、略狙い通りの位置にピース部材６０を配置することが可能となる。
【００４５】
また、第３の垂下部３３が、天井パネル３０の下面に設けられているため、天井裏空間にスペースが無い場合でも対応することができる。また、目地部材４０によって、位置決め手段が浴室内側から隠れるようになっているため、天井面の美観を向上させることができる。
【００４６】
尚、周縁が切断されていない場合において天井パネル３０の周縁に設けられる壁位置決め部とは、必ずしも天井パネル３０の成形時に一体形成されたものだけに限定されない。つまり、天井パネル３０とは別に成形された天井廻し縁部材を、天井パネルに後から取り付けるものであっても良い。この天井廻し縁部材は、上述した実施形態と同様に下方に開口した凹状の壁位置決め部が形成されている。
【符号の説明】
【００４７】
１０…浴槽、１１…洗い場床パン、２０…壁パネル、２１…鋼板、２２…石膏ボード、２５…出入口ドア、３０…天井パネル、３１…第１の垂下部、３２…第２の垂下部、３３…第３の垂下部、３４…壁位置決め部、３６…第１の補強リブ、３７…第２の補強リブ、３８…第３の補強リブ、４０…目地部材、５０，６０…ピース部材、５１，６１…位置決め部、５２…係止部、５３，６３…凹状部、５４，６４…目地取付部、
【図１】
0005500501.tif 000002
【図２】
0005500501.tif 000003
【図３】
0005500501.tif 000004
【図４】
0005500501.tif 000005